(57)【要約】【課題】本発明は、上述した事情を考慮してなされたものであり、入浴者の身長差や様々な入浴形態に対応して汎用的に使用可能な浴槽用手すりを提供する。【解決手段】内槽部１とこの内槽部１の外周に設けられたリム２とを備え、内槽部１の最底面である内槽最底面１ａとこの内槽最底面１ａよりリム２との距離が小さい略平坦部である半身浴ステップ４とを備えた浴槽１０の内槽部１側に設けられる浴槽用手すり５が、内槽部１の半身浴ステップ４側に固定される端部１１と、内槽部１の内槽最底面１ａ側に固定される端部１２と、これら端部同士の間に位置する握り部であるグリップ部１３とを有し、半身浴ステップ４側の端部１１がリム２と略同等高さとなるように内槽部１に固定され、内槽部最底面１ａ側の端部１２が半身浴ステップ４側の端部１２よりリム２との距離が大きくなるように内槽部１に固定され、半身浴時および全身浴時のいずれの入浴形態においてもグリップ部１３を把持可能に設けた浴槽用手すり５である。【選択図】  図１
2006130136.tif 000002
【特許請求の範囲】
【請求項１】
内槽部とこの内槽部の外周に設けられたリムとを備え、前記内槽部の最底面である内槽最底面とこの内槽最底面より前記リムとの距離が小さい略平坦部である半身浴ステップとを備えた浴槽の前記内槽部側に設けられる浴槽用手すりであって、この浴槽用手すりが、前記内槽部の前記半身浴ステップ側に固定される端部と、前記内槽部の前記内槽最底面側に固定される端部と、これら端部同士の間に位置する握り部であるグリップ部とを有し、前記半身浴ステップ側の端部が前記リムと略同等高さとなるように前記内槽部に固定され、前記内槽部最底面側の端部が前記半身浴ステップ側の端部より前記リムとの距離が大きくなるように前記内槽部に固定され、半身浴時および全身浴時のいずれの入浴形態においても前記グリップ部を把持可能に設けたことを特徴とする浴槽用手すり。
【請求項２】
内槽部とこの内槽部の外周に設けられたリムとを備え、前記内槽部の最底面である内槽最底面とこの内槽最底面より前記リムとの距離が小さい略平坦部である半身浴ステップとを備えた浴槽の前記内槽部側に設けられる浴槽用手すりであって、この浴槽用手すりが、前記内槽部の前記半身浴ステップを設けた側の内周に、前記リムより前記半身浴ステップとの距離が小さくなるように設けられた段差状の平坦面を有するアームレストに固定される端部と、前記内槽部の前記内槽最底面側に設けられた肘置き部に固定される端部と、これら端部同士の間に位置する握り部であるグリップ部とを有し、前記半身浴ステップ側の端部が前記アームレストの上端面と略同等高さとなるように前記アームレストに固定され、前記内槽部最底面側の端部が前記半身浴ステップ側の端部より前記リムとの距離が大きくなるように前記肘置き部に固定され、半身浴時および全身浴時のいずれの入浴形態においても前記グリップ部を把持可能に設けたことを特徴とする浴槽用手すり。
【請求項３】
前記半身浴ステップ側の端部と前記内槽部最底面側の端部との間の長さを５００ｍｍ〜７００ｍｍの範囲に設けたことを特徴とする請求項１記載の浴槽用手すり。
【請求項４】
前記内槽部の前記内槽最底面側の側壁に前記内槽最底面より前記リムとの距離が小さくなるように設けられた平坦部である肘置き部に前記内槽最底面側の端部が固定されたことを特徴とする請求項１記載の浴槽用手すり。
【請求項５】
前記半身浴ステップ側の端部と前記内槽最底面側の端部が前記内槽部の側壁にそれぞれ固定されたことを特徴とする請求項１記載の浴槽用手すり。
【請求項６】
前記グリップ部がアーチ型形状に設けられたことを特徴とする請求項１〜請求項４のいずれかに記載の浴槽用手すり。
【発明の詳細な説明】
【技術分野】
【０００１】
本発明は、浴室や浴室ユニットに設置される浴槽に設けられる浴槽用手すりに関する。
【背景技術】
【０００２】
浴室や浴室ユニットに設置される浴槽は、従来平面視略矩形のものがほとんどであった。しかし近年、複数人数での入浴や、また半身浴や足浴等のリラックス浴のような入浴形態の多様化に伴い、浴槽の形状に変化を持たせたものや、半身浴座として利用されるステップ付きの浴槽が提供されるようになっている。
【０００３】
こうした浴槽には、入浴姿勢の安定や浴槽への出入りの際の姿勢を安定させる目的で、入浴者が把持することが可能な浴槽用手すりを内槽部に設けたものがある。
【０００４】
従来、安全性や使用感に着目した様々な種類の浴槽用手すりが提供されている（例えば、特許文献１参照）。
【０００５】
また、浴槽用手すりを設けた浴槽についても従来開示されている（例えば、特許文献２参照）。
【特許文献１】特開平１１−２４４１７４号公報
【特許文献２】特開平７−２５５６２２号公報
【発明の開示】
【発明が解決しようとする課題】
【０００６】
しかしながら、従来の浴槽用手すりは、浴槽形態や入浴形態の多様化に伴い、入浴者の身長の差や入浴形態の違いに対しての汎用性が低いことが改善すべき課題とされていた。例えば、半身浴ステップ付きの浴槽の場合、半身浴時と全身浴時とで入浴姿勢や方向が異なるが、従来の浴槽用手すりにおいて、半身浴時と全身浴時との両方の入浴形態において、入浴者が身長や姿勢の差異に関係なく自然な姿勢で把持可能な浴槽用手すりは、提供されていなかった。
【０００７】
従って、特に半身浴ステップを備えた浴槽において、半身浴時と全身浴時との両方の入浴形態において、入浴姿勢や身長差に影響されずに使用可能な浴槽用手すりが必要とされていた。
【０００８】
本発明は、上述した事情を考慮してなされたものであり、入浴者の身長差や様々な入浴形態に対応して汎用的に使用可能な浴槽用手すりを提供することを目的とする。
【課題を解決するための手段】
【０００９】
本発明の浴槽用手すりは、上述した課題を解決するために、内槽部とこの内槽部の外周に設けられたリムとを備え、前記内槽部の最底面である内槽最底面とこの内槽最底面より前記リムとの距離が小さい略平坦部である半身浴ステップとを備えた浴槽の前記内槽部側に設けられる浴槽用手すりであって、この浴槽用手すりが、前記内槽部の前記半身浴ステップ側に固定される端部と、前記内槽部の前記内槽最底面側に固定される端部と、これら端部同士の間に位置する握り部であるグリップ部とを有し、前記半身浴ステップ側の端部が前記リムと略同等高さとなるように前記内槽部に固定され、前記内槽部最底面側の端部が前記半身浴ステップ側の端部より前記リムとの距離が大きくなるように前記内槽部に固定され、半身浴時および全身浴時のいずれの入浴形態においても前記グリップ部を把持可能に設けたことを特徴とするものである。
【００１０】
また、本発明の浴槽用手すりは、上述した課題を解決するために、前記半身浴ステップ側の端部と前記内槽部最底面側の端部との間の長さを５００ｍｍ〜７００ｍｍの範囲に設けたことを特徴とするものである。
【００１１】
また、本発明の浴槽用手すりは、上述した課題を解決するために、内槽部とこの内槽部の外周に設けられたリムとを備え、前記内槽部の最底面である内槽最底面とこの内槽最底面より前記リムとの距離が小さい略平坦部である半身浴ステップとを備えた浴槽の前記内槽部側に設けられる浴槽用手すりであって、この浴槽用手すりが、前記内槽部の前記半身浴ステップを設けた側の内周に、前記リムより前記半身浴ステップとの距離が小さくなるように設けられた段差状の平坦面を有するアームレストに固定される端部と、前記内槽部の前記内槽最底面側に設けられた肘置き部に固定される端部と、これら端部同士の間に位置する握り部であるグリップ部とを有し、前記半身浴ステップ側の端部が前記アームレストの上端面と略同等高さとなるように前記アームレストに固定され、前記内槽部最底面側の端部が前記半身浴ステップ側の端部より前記リムとの距離が大きくなるように前記肘置き部に固定され、半身浴時および全身浴時のいずれの入浴形態においても前記グリップ部を把持可能に設けたことを特徴とする。
【００１２】
また、本発明の浴槽用手すりは、上述した課題を解決するために、前記内槽部の前記内槽最底面側の側壁に前記内槽最底面より前記リムとの距離が小さくなるように設けられた平坦部である肘置き部に前記内槽最底面側の端部が固定されたことを特徴とするものである。
【００１３】
さらに、本発明の浴槽用手すりは、上述した課題を解決するために、前記半身浴ステップ側の端部と前記内槽最底面側の端部が前記内槽部の側壁にそれぞれ固定されたことを特徴とするものである。
【００１４】
また、本発明の浴槽用手すりは、上述した課題を解決するために、前記グリップ部がアーチ型形状に設けられたことを特徴とするものである。
【発明の効果】
【００１５】
本発明の浴槽用手すりによれば、入浴者の身長差に幅広く対応して、自然な体制で把持することが可能であり、また、様々な入浴形態に対しても汎用的に使用可能な浴槽用手すりを提供することが可能である。
【００１６】
また、本発明の浴槽用手すりは、半身浴ステップ付きの浴槽に設けられて、半身浴時および全身浴時の両方において使用可能であり、入浴者の姿勢を安定させるので、入浴時の安全性が向上する。
【００１７】
また、本発明の浴槽用手すりは、半身浴時および全身浴時の両方の入浴形態において、浴槽用手すりに体重を掛けて体を起こす動作が容易となる。また、浴槽への出入りに際しても浴槽用手すりを使用することにより姿勢が安定するので入浴者に安心感を与え、さらに、浴槽内での立ち座りにも使用可能であるので、浴室内における動作の安全性を高めることが可能である。
【００１８】
また、本発明の浴槽用手すりは、半身浴ステップ側の固定部である端部が浴槽のリムと略同等高さに設けられる。そのため、半身浴時に入浴者がリムに肘を置いて入浴する際に、自然に浴槽用手すりに手先を置くことが可能であり、入浴者に安心感を与え、よりリラックス可能な入浴が実現する。
【００１９】
一方、内槽部の内槽最底面側の側壁に設けられた肘置き部に、内槽最底面側の端部を固定した浴槽用手すりは、入浴者が全身浴する際に肘置き部に肘を置いて浴槽用手すりを把持することが可能である。
【００２０】
さらに、浴槽の内槽部に固定された半身浴ステップ側の端部と内槽最底面側の端部との間のグリップ部がアーチ型形状に設けられた本発明の浴槽用手すりは、外観上も優れており、浴槽の美観を効果的に向上させる。
【発明を実施するための最良の形態】
【００２１】
本発明の浴槽用手すりの実施例について、図を参照して以下に詳細に説明する。
【実施例１】
【００２２】
図１に本発明に係る実施例１の浴槽用手すりを設けた浴槽の斜視図を示す。また、図２に実施例１の浴槽用手すりを設けた浴槽の上方平面図を示す。この図１および図２を用いて、実施例１の浴槽用手すりを設けた浴槽の構成について説明する。
【００２３】
浴槽１０は、内槽部１と、内槽部１の外周縁であるリム２と、エプロン３とから構成され、内槽部１には、半身浴時に入浴者が着座する半身浴ステップ４が、内槽最底面１ａより高い、すなわちリム２との距離が小さい平坦面として設けられる。以下、内槽部１において半身浴ステップ４を設けた方向を半身浴ステップ４側、内槽最底面１ａが位置する方向を内槽最底面１ａ側と称する。
【００２４】
さらに、内槽部１には、浴槽用手すり５が設けられる。また、内槽部１の内槽最底面１ａ側には、全身浴時に入浴者が肘を置くためのスペースである肘置き部６が、内槽最底面１ａより高い平坦面として、内槽部１の側壁７および側壁８に設けられる。ここで側壁７および側壁８とは、内槽部１の内壁を示し、半身浴ステップ４に入浴者が着座した場合の入浴者の右側の壁面を側壁７、左側の壁面を側壁８とする。
【００２５】
図３に浴槽用手すり５の内槽部１への取り付け状態を図示した側面図を示す。浴槽用手すり５は、半身浴ステップ４側の端部１１と、内槽最底面１ａ側の端部１２と、端部１１と端部１２との間のグリップ部１３とから構成されるアーチ型形状を有する部材である。この浴槽用手すり５の半身浴ステップ４側の端部１１がリム２と略同等の高さとなるように、内槽部１と接合される。一方、浴槽用手すり５の他方の端部、すなわち内槽最底面１ａ側の端部１２は、内槽最底面１ａ側の肘置き部６の表面に対して角度θを成すように固定される。すなわち、浴槽用手すり５と肘置き部６とは、浴槽用手すり５が肘置き部６の表面から一定の角度θを持って立ち上がるような位置関係に固定される。このとき、浴槽用手すり５と肘置き部６とが成す角度は、全身浴時に入浴者が把持する際の利便性を考慮して、使用者が握る位置でθ＝３０°〜６０°程度とすることが好ましい。また、浴槽用手すり５の端部１１から端部１２までの長さは、５００ｍｍ〜７００ｍｍに設けられることが好ましい。
【００２６】
グリップ部１３の形状は、アーチ型形状に設けられている。すなわち、端部１１から端部１２に掛けて、緩やかな曲率の弓形に成形されており、入浴姿勢や入浴者の身長差に対して幅広く対応可能で、グリップ部１３のどの部分においても使用感が良好である。
【００２７】
上述したような長さおよび形状に設けられた浴槽用手すり５は、入浴者が半身浴ステップ４に着座した半身浴時にも、また内槽部最底面１ａに着座した全身浴時にも、入浴者が自然な姿勢で容易に浴槽用手すり５を把持することが可能であり、入浴時の姿勢を安定させる。
【００２８】
特に、半身浴時においては、端部１１をリム２と同等の高さとしたので、リム２に肘を置いた姿勢で自然にグリップ部１３を把持することができ、また、全身浴時においては、肘置き部６に角度θを持って端部１２が固定されたので、入浴者の身長によらず、座浴と寝浴の両方の入浴姿勢においてグリップ部１３を把持することが可能である。このように、様々な入浴形態において浴槽用手すり５に手を添えることにより入浴者が安心感を得ることができる。また、浴槽用手すり５を把持することにより、入浴中の腰の滑り込みを防止することが可能である。
【００２９】
一方、肘置き部６の内槽最底面１ａからの高さは、約２５０ｍｍに設定される。この高さに設定された肘置き部６に上述のような構成で固定された浴槽用手すり５は、入浴者が全身浴時に自然な姿勢で肘置き部６に肘を置き、浴槽用手すり５を把持して姿勢を安定させることが可能である。従って、より自然で安定した入浴姿勢を維持することが容易であり、長時間の入浴にも疲れにくく、リラックス浴が可能である。
【００３０】
また、このような形状および寸法を有する浴槽用手すり５を設けた浴槽１０は、半身浴時にも全身浴時にも浴槽用手すり５に体重を掛けて体を起こしたり、立ち座りしたりすることが可能であり、入浴時の安全性をも向上させる。
【実施例２】
【００３１】
図４に、実施例２の浴槽用手すり１４を設けた浴槽の斜視図を示す。この図４を用いて、実施例２の浴槽用手すりを設けた浴槽の構成について説明する。
【００３２】
この浴槽１５は、内槽部１の半身浴ステップ４側の内周にアームレスト１６を設けたものである。アームレスト１６は、リム２から一段低い、すなわち、半身浴ステップ４との距離が小さい段差状の平坦面を有しており、入浴者は、半身浴時に、自然な高さに設定されたアームレスト１６に肘を置くことにより、安定した姿勢で入浴することができる。
【００３３】
この浴槽１５に、実施例２の浴槽用手すり１４を設ける。浴槽用手すり１４は、半身浴ステップ４側の端部１７と、内槽最底面１ａ側の端部１８と、端部１１と端部１２との間のグリップ部１９とから構成されるアーチ型形状を有する部材である。この浴槽用手すり１４の半身浴ステップ４側の端部１７がアームレスト１６と略同等の高さとなるように、内槽部１と接合される。一方、浴槽用手すり１４の他方の端部、すなわち内槽最底面１ａ側の端部１８は、内槽最底面１ａ側の肘置き部６の表面に対して好ましい角度を成すように固定される。なお、浴槽用手すり１４と肘置き部６とが成す角度は、実施例１と同様に、使用者が握る位置で３０°〜６０°程度が好ましく、また、端部１７と端部１８との間の長さは、実施例１の浴槽用手すりと同様に、５００ｍｍ〜７００ｍｍ程度に設けられることが好ましい。
【００３４】
本発明者らの実施によれば、アームレスト１６の高さは、半身浴ステップ４からの高さ（距離）が２６０ｍｍ〜３００ｍｍの範囲となるように設けることが好ましい。この範囲の高さに設けられたアームレスト１６は、入浴者が半身浴ステップ４に着座してアームレスト１６に肘を置く姿勢をとるときに、肘の高さが自然であり、安定した入浴姿勢をとることができる上、浴槽用手すり１４を把持することができるので、長時間の入浴でも疲れにくく、リラックスできる快適な入浴が実現する。また、アームレスト１６の幅は、５０ｍｍ〜７０ｍｍとすることが好ましい。
【００３５】
また、入浴時の姿勢として、アームレスト１６に肘を置く姿勢以外にも、例えば、浴槽のリム２に肘を置いたり、内槽部１内に入れる姿勢も可能であり、入浴姿勢のバリエーションが増えるため、長時間の入浴時にも疲れにくい。
【００３６】
一方、内槽部１の内槽最底面１ａ側には、肘置き部６が設けられており、主に全身浴時の肘置きとして利用される。この浴槽１５の場合、アームレスト１６と肘置き部６とは、連続する滑らかな曲面にて一体的に構成される。なお、肘置き部６のその他の構成および効果については実施例１と同様であるので、詳しい説明を省略する。
【００３７】
このように内槽部１に設けられたアームレスト１６に、浴槽用手すり１４を備える構成とした実施例２の浴槽１５は、浴槽用手すり１４の端部１７および端部１８が、それぞれアームレスト１６および肘置き部６の上端面に固定されるので、入浴者の立ち座り時に、上方からの荷重に対して大きな強度を有するため、より安心な浴槽用手すりを提供することが可能である。
【実施例３】
【００３８】
図５に、本発明に係る実施例３の浴槽用手すりを設けた浴槽の斜視図を示す。また、図６に実施例３の浴槽用手すりを設けた浴槽の上方平面図を示す。図５および図６を用いて、実施例３の浴槽用手すりを設けた浴槽の構成について説明する。なお、実施例３において実施例１と同一の構成については、同一の符号を付して説明を省略する。
【００３９】
この浴槽２０は、浴槽用手すり２１を、内槽部２２に設けたものである。浴槽２０は、内槽部２２内に、内槽部最底面２２ａより高い、すなわち、リム２との距離が小さい平坦部である半身浴ステップ４が設けられる。なお、この内槽部２２は、実施例１の浴槽１０における肘置き部６を設けないタイプの浴槽である。
【００４０】
図７に、浴槽用手すり２１の内槽部２２への取り付け状態を図示した側面図を示す。この浴槽用手すり２１は、半身浴ステップ４側の端部２３と、内槽最底面２２ａ側の端部２４と、端部２３と端部２４の間のグリップ部２５とから構成される。
【００４１】
浴槽用手すり２１の半身浴ステップ４側の端部２３は、内槽部２２の側壁２７に対して浴槽２０のリム２と略同等の高さとなるように固定される。一方、浴槽用手すり２１の他方すなわち内槽最底面２２ａ側の端部２４は、端部２３より低い、すなわち、リム２との距離が大きい位置において、側壁２７に固定される。端部２４は、全身浴時に入浴者が把持する際の利便性を考慮して、浴槽用手すり２１の使用者が握る位置と内槽部最底面２２ａとが成す角ψが約３０°〜６０°となるように固定される。なお、側壁２８に固定する浴槽用手すり２１は、側壁２７に固定する浴槽用手すり２１を略左右対称に形成したものである。ここで側壁２７および側壁２８とは、内槽部２２の内壁を示し、半身浴ステップ４に入浴者が着座した場合の入浴者の右側の壁面を側壁２７、左側の壁面を側壁２８とする。
【００４２】
端部２３と端部２４との間のグリップ部２５は、アーチ型形状に設けられ、緩やかな曲率を有する弓形に成形される。また、端部２３と端部２４との間の長さは、５００ｍｍ〜７００ｍｍの範囲であることが好ましい。
【００４３】
上記のような形状および角度となるように側壁２７および側壁２８に固定された浴槽用手すり２１は、全身浴時に入浴者が自然な姿勢で把持可能であるため、長時間の入浴にもリラックスでき、入浴者の身長差や体勢に影響されずに使用することが可能である。
【００４４】
また、浴槽２０のように、肘置き部を設けないタイプの浴槽でも、浴槽用手すり２１を設けたことにより、入浴時の姿勢を安定させるので、よりリラックスする入浴を実現することが可能である。
【図面の簡単な説明】
【００４５】
【図１】実施例１の浴槽用手すりを設けた浴槽の斜視図。
【図２】実施例１の浴槽用手すりを設けた浴槽の上方平面図。
【図３】実施例１の浴槽用手すりの内槽部への取り付けを図示した側面図。
【図４】実施例２の浴槽用手すりを設けた浴槽の斜視図。
【図５】実施例３の浴槽用手すりを設けた浴槽の斜視図。
【図６】実施例３の浴槽用手すりを設けた浴槽の上方平面図。
【図７】実施例３の浴槽用手すりの内槽部への取り付けを図示した側面図。
【符号の説明】
【００４６】
１  内槽部
１ａ  内槽最底面
２  リム
３  エプロン
４  半身浴ステップ
５  浴槽用手すり
６  肘置き部
７  側壁
８  側壁
１０  浴槽
１１  端部
１２  端部
１３  グリップ部
１４  浴槽用手すり
１５  浴槽
１６  アームレスト
１７  端部
１８  端部
１９  グリップ部
２１  浴槽用手すり
２２  内槽部
２２ａ  内槽最底面
２３  端部
２４  端部
２５  グリップ部
２０  浴槽
２７  側壁
２８  側壁
【図１】
2006130136.tif 000003
【図２】
2006130136.tif 000004
【図３】
2006130136.tif 000005
【図４】
2006130136.tif 000006
【図５】
2006130136.tif 000007
【図６】
2006130136.tif 000008
【図７】
2006130136.tif 000009